(57)【特許請求の範囲】
【請求項１】
利用者を撮影した写真を作成する自動写真作成装置であって、
所定の利用者空間の内部にいる利用者を撮影する撮影部と、
前記撮影部で撮影された画像を写真として印刷し、前記利用者空間の外部に向けて排出する印刷部と、
撮影を行う前の利用者から料金を受け取るために、前記利用者空間の外部であって、前記印刷部から離れた複数の設置位置のいずれかに選択的に設置できるように構成された受付部と、
前記受付部の複数の設置位置に対応した複数のコネクタとを備え、
前記受付部が前記複数のコネクタのいずれに接続されているかに基づき、前記受付部の設置位置を自動的に認識する機能を有しており、
前記受付部は、硬貨投入口、硬貨保管部、および、受付画面を表示する受付用表示部を含み、
前記受付用表示部は、前記利用者空間が空いたときには、利用者を誘導するために、自動的に認識された前記受付部の設置位置に応じて切り替わるメッセージを画面に表示することを特徴とする、自動写真作成装置。
【請求項２】
前記利用者空間の出入口近傍に、利用者を誘導する誘導灯または誘導用表示部をさらに備え、
前記誘導灯または前記誘導用表示部は、前記受付用表示部に表示される画面に連動して動作することを特徴とする、請求項１に記載の自動写真作成装置。
【請求項３】
利用者を撮影した写真を作成する自動写真作成装置であって、
所定の利用者空間の内部にいる利用者を撮影する撮影部と、
前記撮影部で撮影された画像を写真として印刷し、前記利用者空間の外部に向けて排出する印刷部と、
撮影を行う前の利用者から料金を受け取るために、前記利用者空間の外部であって、前記印刷部から離れた複数の設置位置のいずれかに選択的に設置できるように構成された受付部と、
前記受付部の複数の設置位置に対応した複数のコネクタとを備え、
前記受付部が前記複数のコネクタのいずれに接続されているかに基づき、前記受付部の設置位置を自動的に認識する機能を有しており、
前記印刷部は、印刷の進行状況または印刷の完了を示す画面を表示する印刷用表示部を含み、
前記印刷用表示部は、自動的に認識された前記受付部の設置位置に応じて、前記受付部の設置位置または設置方向を画面に表示することを特徴とする、自動写真作成装置。
【発明の詳細な説明】
【技術分野】
【０００１】
本発明は、自動写真作成装置に関し、特に、カメラで利用者を撮影し、撮影画像に落書きなどの編集を施し、編集後の画像を写真として印刷する遊戯用の自動写真作成装置に関する。
【背景技術】
【０００２】
従来から、利用者を撮影した画像を写真として印刷する自動写真作成装置が知られている。自動写真作成装置の中には、ゲームセンターなどに設置するために、高い遊戯性を持つように構成されたものがある。このような遊戯用の自動写真作成装置は、例えば、撮影した画像に合成される背景画像や前景画像を利用者が選択したり、撮影した画像にペン型入力手段を用いて利用者が自由に文字や絵を描いたり（以下、落書きという）できるように構成されている。
【０００３】
自動写真作成装置は利用者が入れる空間を有し、利用者はこの空間の内部で撮影や落書きなどを行う。このため、自動写真作成装置を設置するためには、ある程度の面積（数ｍ2 〜１０数ｍ2 ）が必要とされる。一方、自動写真作成装置が設置される場所の状況は様々であり、自動写真作成装置の設置態様に一定の制限が設けられる場合（例えば、装置を壁際に設置する必要がある場合や、装置を特定の方向に向けて設置する必要がある場合など）がある。このような場合に自動写真作成装置が固定的な構造を有していると、装置を設置することが困難となり、装置を所望の場所に設置できない場合がある。
【０００４】
そこで従来から、プリンタの設置位置を変更できる自動写真作成装置が知られている（例えば、特許文献１−４）。特許文献１には、本体筐体の正面側板、左側板および右側板に開口部を設け、各開口部の奥にプリンタの支持部材を設けた合成画像プリント装置が開示されている。特許文献２には、本体筐体の左側板および右側板に開口部を設け、各開口部の奥にプリンタの支持部材を設け、プリンタを配置した開口部には出口を設けた扉を設置し、プリンタを配置しない開口部にはめくら板を配した扉を設置した合成画像プリント装置が開示されている。特許文献３には、筐体内外の複数箇所にプリンタを設置できるように構成された写真自販機が開示されている。特許文献４には、筐体内の複数箇所にプリンタを設置できるように構成され、印刷終了までの使用者の待機場所を示す画面を一定時間表示する写真自販機が開示されている。
【特許文献１】特許第３６６５２１８号公報
【特許文献２】特許第３６６５３１９号公報
【特許文献３】特開２００２−２１４６８９号公報
【特許文献４】特許第３３７６３９２号公報
【発明の開示】
【発明が解決しようとする課題】
【０００５】
自動写真作成装置の中には、利用者から料金からを受け取る受付装置が、利用者が撮影や落書きなどを行う空間の外部に設けられているものがある。受付装置は、料金の支払いや撮影コースの選択などに使用される。このように外部に受付装置を備えた自動写真作成装置には、先の利用者が撮影や落書きなどを行っている間に、次の利用者が料金の支払いや撮影コースの選択などを行えるので、装置の稼働率が高いという利点がある。
【０００６】
しかしながら、これまで、設置場所の状況に応じて高い自由度で受付装置の設置位置を変更できる自動写真作成装置は知られていない。このため、従来の自動写真作成装置をゲームセンターなどに設置すると、撮影待ちの利用者と印刷待ちの利用者とが装置の外部で交錯するなどの問題が生じている。
【０００７】
それ故に、本発明は、設置場所の状況に応じて高い自由度で受付装置の設置位置を変更できる自動写真作成装置を提供することを目的とする。
【課題を解決するための手段】
【０００８】
第１の発明は、利用者を撮影した写真を作成する自動写真作成装置であって、
所定の利用者空間の内部にいる利用者を撮影する撮影部と、
前記撮影部で撮影された画像を写真として印刷し、前記利用者空間の外部に向けて排出する印刷部と、
撮影を行う前の利用者から料金を受け取るために、前記利用者空間の外部であって、前記印刷部から離れた複数の設置位置のいずれかに選択的に設置できるように構成された受付部と、
前記受付部の複数の設置位置に対応した複数のコネクタとを備え、
前記受付部が前記複数のコネクタのいずれに接続されているかに基づき、前記受付部の設置位置を自動的に認識する機能を有しており、
前記受付部は、硬貨投入口、硬貨保管部、および、受付画面を表示する受付用表示部を含み、
前記受付用表示部は、前記利用者空間が空いたときには、利用者を誘導するために、自動的に認識された前記受付部の設置位置に応じて切り替わるメッセージを画面に表示することを特徴とする。
【００１５】
第２の発明は、第１の発明において、
前記利用者空間の出入口近傍に、利用者を誘導する誘導灯または誘導用表示部をさらに備え、
前記誘導灯または前記誘導用表示部は、前記受付用表示部に表示される画面に連動して動作することを特徴とする。
【００１６】
第３の発明は、利用者を撮影した写真を作成する自動写真作成装置であって、
所定の利用者空間の内部にいる利用者を撮影する撮影部と、
前記撮影部で撮影された画像を写真として印刷し、前記利用者空間の外部に向けて排出する印刷部と、
撮影を行う前の利用者から料金を受け取るために、前記利用者空間の外部であって、前記印刷部から離れた複数の設置位置のいずれかに選択的に設置できるように構成された受付部と、
前記受付部の複数の設置位置に対応した複数のコネクタとを備え、
前記受付部が前記複数のコネクタのいずれに接続されているかに基づき、前記受付部の設置位置を自動的に認識する機能を有しており、
前記印刷部は、印刷の進行状況または印刷の完了を示す画面を表示する印刷用表示部を含み、
前記印刷用表示部は、自動的に認識された前記受付部の設置位置に応じて、前記受付部の設置位置または設置方向を画面に表示することを特徴とする。
【発明の効果】
【００２１】
上記第１の発明によれば、受付部の設置位置として印刷部から離れた複数の位置が定められているので、その中から自動写真作成装置の設置場所の状況に応じて１つの位置を選択し、選択した位置に受付部を設置することができる。また、受付部の設置位置は、受付部が複数のコネクタのいずれに接続されているかに基づき自動的に認識される。このように高い自由度で受付部の設置位置を変更できるので、自動写真作成装置の設置態様に制限が設けられる場合でも、複数の設置位置の中から好適に１つの設置位置を選択し、受付部を印刷部から離れた位置に設置することができる。また、受付部において投入された硬貨を保管するとともに、撮影を行う前の利用者に対して受付画面を提示することができる。また、利用者空間が空いたときに、自動的に認識された受付部の設置位置に応じて切り替わる誘導メッセージを受付部の画面に表示することにより、利用者の利便性を高めるとともに、自動写真作成装置の稼働率を上げることができる。
【００２８】
上記第２の発明によれば、受付部の表示画面とこれに連動して動作する誘導灯または誘導用表示部とを用いて利用者を誘導することにより、利用者の利便性を高めるとともに、自動写真作成装置の稼働率を上げることができる。
【００２９】
上記第３の発明によれば、受付部の設置位置として印刷部から離れた複数の位置が定められているので、その中から自動写真作成装置の設置場所の状況に応じて１つの位置を選択し、選択した位置に受付部を設置することができる。また、受付部の設置位置は、受付部が複数のコネクタのいずれに接続されているかに基づき自動的に認識される。このように高い自由度で受付部の設置位置を変更できるので、自動写真作成装置の設置態様に制限が設けられる場合でも、複数の設置位置の中から好適に１つの設置位置を選択し、受付部を印刷部から離れた位置に設置することができる。また、印刷の進行状況または印刷の完了を印刷部で表示することにより、印刷待ちの利用者のいらいら感を緩和あるいは解消したり、利用者の利便性を高めたりすることができる。また、利用者は、印刷用表示部の画面を見れば、自動的に認識された受付部の設置位置または設置方向を知ることができる。したがって、表示部を有する印刷部を受付部と間違えた利用者に対して、受付部の正しい設置位置を知らせることができる。
【発明を実施するための最良の形態】
【００３４】
（第１の実施形態）
図１は、本発明の第１の実施形態に係る自動写真作成装置の外観図である。図１に示す自動写真作成装置１は、ブース２、本体装置３、および、受付装置４を備えた遊戯用の自動写真作成装置である。ブース２は、人が出入り可能な出入口を備えた箱型の小部屋である。本体装置３は、ブース２の隣に設けられる。受付装置４は、ブースの外部に設置される。後述するように、受付装置４は、予め定めた複数の設置位置のいずれかに選択的に設置できるように構成されている。図１に示す例では、受付装置４は、ブース２の出入口の横に設置されている。
【００３５】
ブース２の内部には、カメラ１１および操作ユニット１２が設けられる。カメラ１１は、ブース２の内部にいる利用者を複数回撮影する。操作ユニット１２は画面とペン型入力手段とを有し、操作ユニット１２の画面には、カメラ１１で撮影された画像が表示される。利用者は、操作ユニット１２のペン型入力手段を用いて、カメラ１１で撮影された画像に対して落書き、編集を行い合成画像を作成する。
【００３６】
ブース２の出入口近傍には、利用者を誘導する誘導灯１３が設けられる。また、ブース２の出入口には、ブース２の内部を隠すためにカーテン（図示せず）が掛けられる。本体装置３には、本体制御部２０および印刷部３０が設けられる。印刷部３０は、外見上、入力部および表示部として機能するタッチパネル付きディスプレイ（３２、３３）と、印刷した写真を取り出すための取り出し口３４とを有する。受付装置４は、外見上、同様のタッチパネル付きディスプレイ（４３、４４）と硬貨投入口４５とを有する。
【００３７】
図２は、自動写真作成装置１の機能的な構成を示すブロック図である。本体制御部２０は、ＣＰＵ２１、メモリ２２、ハードディスク２３、および、入出力インターフェイス部２４を含む。本体制御部２０には、入出力インターフェイス部２４を介して、カメラ１１、操作ユニット１２、誘導灯１３、印刷部３０、および、受付装置４が接続される。印刷部３０は、プリンタ３１、入力部３２、および、表示部３３を含む。受付装置４は、硬貨検出部４１、硬貨保管部４２、入力部４３、および、表示部４４を含む。印刷部３０と本体制御部２０との間、および、受付装置４と本体制御部２０との間は、ケーブルで接続される。
【００３８】
ＣＰＵ２１は、メモリ２２に記憶されたプログラムを実行することにより、カメラ１１、操作ユニット１２、誘導灯１３などを制御する。また、印刷部３０および受付装置４はＣＰＵを内蔵しておらず、印刷部３０および受付装置４に含まれる各部もＣＰＵ２１によって制御される。ＣＰＵ２１は、カメラ１１などの制御と並行して、印刷部３０および受付装置４から利用者の入力を受け取る処理や、印刷部３０および受付装置４の表示画面を制御する処理をマルチタスクで実行する。
【００３９】
なお、入出力インターフェイス部２４には、図２に示す構成要素以外にも、ブース２の内部に掛けられたカーテン（図示せず）を制御するカーテン制御部や、ストロボ（図示せず）を制御するストロボ制御部や、インターネット接続を行うための通信インターフェイス部などが接続されていてもよい。また、印刷部３０および受付装置４はＣＰＵを内蔵し、印刷部３０および受付装置４に含まれる各部は、この内蔵されたＣＰＵによって制御されることとしてもよい。
【００４０】
自動写真作成装置１の利用形態は、以下のとおりである。撮影を希望する１人または複数の利用者（例えば、家族、友人など）が１つのグループを形成し、利用者はグループ単位で自動写真作成装置１を利用する。利用者は、撮影を行うに先立ち、ブース２の外部において、受付装置４を用いて撮影の申し込みを行う。
【００４１】
より詳細には、受付装置４の表示部４４は、初期状態では、自動写真作成装置１の利用料金（あるいは、投入すべき硬貨の枚数）を示す受付画面を表示する。利用者が硬貨投入口４５に硬貨を投入すると、硬貨検出部４１は投入された硬貨を検出し、硬貨保管部４２は投入された硬貨を売上金として保管する。利用者が所定の枚数の硬貨を投入した後は、表示部４４は、撮影時のオプション（例えば、撮影コースや背景音楽など）を選択するための受付画面を表示する。利用者は、表示部４４に表示された受付画面に従い、入力部４３を用いて撮影コースや背景音楽などを選択する。
【００４２】
利用者は、撮影の申し込みを終えると、ブース２に入り、ブース２の内部で撮影や落書きを行う。より詳細には、利用者は、ブース２の内部では、まずカメラ１１を用いて利用者を撮影する。撮影された画像は、本体制御部２０のハードディスク２３に記録される。次に利用者は、操作ユニット１２を用いて、撮影された画像に対して落書きを行う。
【００４３】
利用者は、撮影および落書きを完了すると、ブース２から出る。印刷部３０の入力部３２は、ブース２の外部にいる利用者からの入力を受け取れるように構成されている。利用者は、ブース２の外部では、印刷部３０に対して印刷指示を行う。より詳細には、利用者が撮影および落書きを完了すると、印刷部３０の表示部３３は、印刷時のオプション（印刷すべき写真、写真サイズ、複数の合成画像の分割数、印刷レイアウトなど）を選択するための画面を表示する。利用者は、表示部３３に表示された画面に従い、入力部３２を用いて写真サイズなどを選択した後、印刷指示を入力する。プリンタ３１は、印刷指示を受けると、落書き後の画像を写真として印刷する。印刷された写真は、ブース２の外部に向けた取り出し口３４から排出される。このように印刷部３０は、カメラ１１で撮影された画像（より詳細には、カメラ１１で撮影された画像に落書きを施したもの）を写真として印刷し、ブース２の外部に向けて排出する。
【００４４】
利用者は、撮影の申し込みを終えた時点で先の利用者がブース２の内部にいる場合には、先の利用者がブース２から出るまで、ブース２の外部で待機する。このようにブース２は、内部にいる利用者と外部にいる利用者とを区別し、利用者空間を定める役割を有する。自動写真作成装置１の利用者は、ブース２の外部で先の利用者の利用が完了するのを待っている利用者（以下、「撮影待ちの利用者」という）と、ブース２の内部で撮影および落書きを行っている利用者（以下、「撮影および落書き中の利用者」という）と、ブース２の外部で写真の印刷が完了するのを待っている利用者（以下、「印刷待ちの利用者」という）とに分類される。
【００４５】
以下、自動写真作成装置１の特徴の１つである、受付装置４の設置位置について説明する。図３は、受付装置４の設置位置を示す図である。受付装置４は、図３に示すように、予め定めた６つの設置位置Ｃ１〜Ｃ６のいずれかに選択的に設置できるように構成されている。なお、受付装置の設置位置を示す図面（図３、図４、図１０および図１１）では、同じ文字を付した円は、同じグループに属する利用者を表す。文字ＭまたはＮを付した円は撮影待ちの利用者を表し、文字ＥまたはＦを付した円は撮影および落書き中の利用者を表し、文字Ｐを付した円は印刷待ちの利用者を表す。
【００４６】
ブース２の外部にいる利用者のうち、撮影待ちの利用者は、受付装置４の設置位置を先頭として列を作り、印刷待ちの利用者は印刷部３０の前で待機する。このため、受付装置４を印刷部３０の近くに設置すると、撮影待ちの利用者と印刷待ちの利用者とがブース２の外部で交錯することがある。そこで自動写真作成装置１では、受付装置４の設置位置には、撮影待ちの利用者と印刷待ちの利用者とが交錯しない程度に印刷部３０の設置位置から離れた位置Ｃ１〜Ｃ６のみが選択可能とされる。
【００４７】
ブース２は４つの側面を有し、そのうち２つの側面（図３では上側および下側の側面）には出入口が設けられている。受付装置４の設置位置には、ブース２の出入口を有する側面の前の設置位置（Ｃ１、Ｃ４、Ｃ５）と、ブース２の出入口を有しない側面の前の設置位置（Ｃ２、Ｃ３、Ｃ６）とが含まれている。ブース２および本体装置３が占める矩形領域をＲ１としたとき、印刷部３０は領域Ｒ１の１角近傍に設置されている。これに対して、設置位置Ｃ１〜Ｃ６は、いずれも、領域Ｒ１の、印刷部３０が近傍に設置された角以外の１角近傍に定められている。したがって、設置位置Ｃ１〜Ｃ６は、いずれも、撮影待ちの利用者と印刷待ちの利用者とが交錯しない程度に印刷部３０の設置位置から離れている。
【００４８】
受付装置４の設置位置を特定の位置に限定する方法には、種々の方法が考えられる。例えば、受付装置４をブース２または本体装置３の側面に取り付けてビスなどで固定する場合には、受付装置４に取り付け用の機構（例えば、凸型部材やネジ穴）を設けるとともに、ブース２または本体装置３の側面において各設置位置に対応した箇所に、上記取り付け用の機構に対応する機構（例えば、凹型部材や同径のネジ穴）を設けてもよい。あるいは、受付装置４にコネクタを設けるとともに、ブース２または本体装置３の側面において各設置位置に対応した箇所にコネクタを設け、２つのコネクタを直接接続してもよい。あるいは、２つのコネクタ間を、受付装置４がブース２または本体装置３からあまり離れない程度に短いケーブルを用いて接続してもよい。
【００４９】
自動写真作成装置１を設置したときに、本体制御部２０のメモリ２２には、受付装置４の設置位置が設定される。あるいは、各設置位置に対応したコネクタのいずれかに受付装置４を接続する方法を採用した場合には、本体制御部２０のＣＰＵ２１は、受付装置４の設置位置を自動的に認識してもよい。受付装置４の設置位置は、後述するように、印刷部３０の表示部３３に受付装置４の設置位置を表示するときなどに参照される。
【００５０】
図４は、自動写真作成装置１を壁際に設置したときの、受付装置４の設置位置を示す図である。図４に示す例では、自動写真作成装置１は、壁Ｗの際に、ブース２の出入口の一方を塞ぐように設置されている。この場合、図３に示す６つの位置Ｃ１〜Ｃ６のうち、壁Ｗから離れた２つの位置Ｃ１、Ｃ２のみが、受付装置４の設置位置となる。２つの設置位置Ｃ１およびＣ２は、いずれも、撮影待ちの利用者と印刷待ちの利用者とが交錯しない程度に印刷部３０の設置位置から離れている。
【００５１】
以上のように構成された自動写真作成装置１によれば、受付装置４の設置位置として印刷部３０から離れた複数の位置が定められているので、その中から自動写真作成装置１の設置場所の状況に応じて１つの位置を選択し、選択した位置に受付装置４を設置することができる。このように高い自由度で受付装置４の設置位置を変更できるので、自動写真作成装置１の設置態様に制限が設けられる場合でも、複数の設置位置の中から好適に１つの設置位置を選択し、受付装置４を印刷部３０から離れた位置に設置することができる。
【００５２】
また、受付装置４の設置位置は、いずれも、撮影待ちの利用者と印刷待ちの利用者とが交錯しない程度に印刷部３０の設置位置から離れているので、受付装置４の設置位置としていずれの位置を選択した場合でも、撮影待ちの利用者と印刷待ちの利用者とが自動写真作成装置１の外部で交錯することを防止することができる。
【００５３】
また、受付装置４の設置位置には、ブース２の出入口を有する側面の前の設置位置と、ブース２の出入口を有さない側面の前の設置位置とが含まれているので、自動写真作成装置１の設置場所の状況に応じて、出入口のある側面の前、あるいは、出入口のない側面の前に、受付装置４を選択的に設置することができる。
【００５４】
また、受付装置４が硬貨投入口４５、硬貨保管部４２、および、受付画面を表示する表示部４４を含むので、受付装置４において投入された硬貨を保管するとともに、撮影を行う前の利用者に対して受付画面を提示することができる。
【００５５】
また、受付装置４が入力部４３を含むので、利用者は、撮影を行う前にブース２の外部において、入力部４３を用いて各種の処理（例えば、撮影コースの選択など）を行うことができる。これにより、自動写真作成装置１の稼働率を上げることができる。
【００５６】
以下、自動写真作成装置１における利用者の誘導方法について説明する。本体制御部２０のＣＰＵ２１は、ブース２の内部にいる利用者が撮影および落書きを完了したことを検知してから所定時間経過後に、ブース２が空いたと判断し、受付装置４の表示部４４に対して所定の画面制御コマンドを出力する。表示部４４は、この画面制御コマンドを受けると、利用者を誘導するメッセージを画面に表示する。例えば、表示部４４は、図５に示すように、「ブースに入って撮影して下さい」というメッセージを含む画面５１を表示する。なお、ブース２の内部にいる利用者が撮影および落書きを完了したことは、例えば、利用者が操作ユニット１２を用いて落書き終了コマンドを入力ときに検知される。
【００５７】
また、ブース２の出入口近傍に設けられた誘導灯１３は、表示部４４による表示画面に連動して動作する。図６は、誘導灯１３の構成例を示す図である。図６に示す誘導灯１３は、「撮影中」と書かれた赤色に点灯する第１の点灯部１４と、「空き」と書かれた緑色に点灯する第２の点灯部１５とを有する。ブース２が使用中のときは第１の点灯部１４が点灯し、ブース２が空いているときは第２の点灯部１５が点灯する。また、ブース２が空いたときには、第２の点灯部１５は所定時間だけ緑色で点滅する。
【００５８】
このように、ブース２が空いたときに受付装置４で誘導メッセージを画面に表示し、あるいは、受付装置４の表示画面とこれに連動して動作する誘導灯１３とを用いて利用者を誘導することにより、利用者の利便性を高めるとともに、自動写真作成装置１の稼働率を上げることができる。
【００５９】
なお、ブース２に出入口が複数ある場合には、各出入口に誘導灯１３を設けてもよく、あるいは、１つの出入口だけに誘導灯１３を設けてもよい。誘導灯１３を１つの出入口だけに設ける場合には、誘導灯１３を受付装置４の設置位置に近い出入口近傍に設けることが好ましい。例えば、図３において、受付装置４を位置Ｃ１またはＣ２に設置した場合には、誘導灯１３を印刷部３０側の出入口（図３では下側の出入口）近傍に設けることが好ましく、受付装置４を位置Ｃ３〜Ｃ６のいずれかに設置した場合には、誘導灯１３を反対側の出入口（図３では上側の出入口）近傍に設けることが好ましい。あるいは、ブース２から出てくる利用者とブース２に入る利用者とが衝突することを防止するために、誘導灯１３を印刷部３０とは反対側の出入口近傍に設けてもよい。また、図１および図６に示す例では、誘導灯１３はブース２の出入口上部の印刷部３０に近い側に設けられているが、誘導灯１３をブース２の出入り口上部の印刷部３０から離れた側に設けてもよい。
【００６０】
また、誘導灯１３に代えて、利用者を誘導する画面を表示する誘導用表示部を使用してもよい。誘導用表示部には、例えば、液晶ディスプレイ、蛍光表示管、ＬＥＤ表示器などを使用できる。誘導用表示部も、誘導灯１３と同様に、表示部４４による表示画面に連動して動作することが好ましい。利用者を誘導するための文字やグラフィックを誘導用表示部に表示することにより、誘導灯１３よりもさらに効果的に利用者を誘導することができる。
【００６１】
以下、印刷部３０の入力部３２および表示部３３の機能について説明する。表示部３３は、利用者が印刷指示を入力した後は、印刷の進行状況を示す画面を表示する。例えば、表示部３３は、図７（ａ）に示すように、印刷が完了するまでの残り時間を含む画面５２ａを表示してもよく、あるいは、図７（ｂ）に示すように、進捗率とプログレスバー（進捗率を示すグラフィック表示）とを含む画面５２ｂを表示してもよい。このように印刷の進行状況を印刷部３０で表示することにより、印刷待ちの利用者のいらいら感を緩和あるいは解消することができる。
【００６２】
あるいは、表示部３３は、利用者が印刷指示を入力した後は、印刷の進行状況を示す画面を表示することなく、印刷が完了したときにその旨を示す画面を表示してもよい。例えば、表示部３３は、印刷が完了したときには、図７（ｃ）に示すように、「印刷が終わりました」というメッセージを含む画面５２ｃを表示してもよい。このように印刷の完了を印刷部３０で表示することにより、利用者の利便性を高めることができる。
【００６３】
また、表示部３３は、利用者が印刷指示を入力した後は、印刷の進行状況を含むゲーム画面を表示してもよい。例えば、表示部３３は、図８（ａ）や図８（ｂ）に示すゲーム画面５３ａ、５３ｂ（ここでは、もぐらたたきゲームの画面）を表示してもよい。この場合、表示部３３に表示されるゲーム画面は、入力部３２で受け取った利用者からの入力に応じて変化する。このように印刷待ちの間に印刷部３０の入力部３２および表示部３３を用いてゲームを楽しむことにより、利用者は、印刷待ちの間のいらいら感を緩和あるいは解消することができる。
【００６４】
また、表示部３３は、印刷の進行状況を示す画面やゲーム画面を表示していないときには、受付装置４の設置位置あるいは設置方向を示す画面を表示してもよい。例えば、表示部３３は、図９（ａ）に示すように、受付装置４の設置位置を示す画面５４ａを表示してもよく、あるいは、図９（ｂ）に示すように、受付装置４の設置方向を示す画面５４ｂを表示してもよい。利用者は、図９（ａ）および図９（ｂ）に示す画面を見れば、受付装置４の設置位置または設置方向を知ることができる。したがって、表示部３３を有する印刷部３０を受付装置４と間違えた利用者に対して、受付装置４の正しい設置位置を知らせることができる。
【００６５】
また、印刷部３０の入力部３２はブース２の外部にいる利用者から入力を受け取るように構成されているので、利用者は、撮影後で印刷開始前あるいは印刷待ちの間にブース２の外部において、各種の処理（例えば、印刷時のオプションの選択やゲーム）を行うことができる。これにより、利用者の利便性を高めるとともに、自動写真作成装置の稼働率を上げることができる。
【００６６】
（第２の実施形態）
図１０は、本発明の第２の実施形態に係る自動写真作成装置における受付装置４の設置位置を示す図である。図１０に示す自動写真作成装置５は、上述した自動写真作成装置１にブースを１個追加したものであり、２個のブース２ａ、２ｂ、本体装置３、および、受付装置４を備えている。ブース２ａは自動写真作成装置１のブース２と同じ構造を有し、ブース２ｂはブース２ａと左右対称な構造を有する。ブース２ａは本体装置３の隣に設けられ、ブース２ｂは本体装置３を挟んでブース２ａの反対側に設けられる。自動写真作成装置５の構成要素のうち、自動写真作成装置１の構成要素と同じものには同一の参照符号を付して、説明を省略する。
【００６７】
自動写真作成装置５では、受付装置４は、図１０に示す９つの設置位置Ｃ１〜Ｃ９のいずれかに選択的に設置できるように構成されている。受付装置４の設置位置には、ブース２ａ、２ｂの出入口を有する側面の前の設置位置（Ｃ１、Ｃ４〜Ｃ６、Ｃ９）と、ブース２ａ、２ｂの出入口を有しない側面の前の設置位置（Ｃ２、Ｃ３、Ｃ７、Ｃ８）とが含まれている。図１０に示す例では、受付装置４は、位置Ｃ４に設置されている。
【００６８】
ブース２ａ、２ｂおよび本体装置３が占める矩形領域をＲ２としたとき、印刷部３０は領域Ｒ２の長手方向の１辺の中点近傍に設置されている。一方、設置位置Ｃ１〜Ｃ４、Ｃ６〜Ｃ９は、いずれも、領域Ｒ２の１角近傍に定められており、設置位置Ｃ５は、領域Ｒ２のもう一方の長手方向の辺の中点近傍に定められている。したがって、設置位置Ｃ１〜Ｃ９は、いずれも、撮影待ちの利用者と印刷待ちの利用者とが交錯しない程度に印刷部３０の設置位置から離れている。なお、受付装置４の設置位置を特定の位置に限定する方法は、第１の実施形態と同様である。
【００６９】
図１１は、自動写真作成装置５を壁際に設置したときの、受付装置４の設置位置を示す図である。図１１に示す例では、自動写真作成装置５は、壁Ｗの際に、ブース２ａの出入口とブース２ｂの出入口の一方とを塞ぐように設置されている。この場合、図１０に示す９つの位置Ｃ１〜Ｃ９のうち、壁Ｗから離れた４つの位置Ｃ１、Ｃ２、Ｃ８、Ｃ９のみが、受付装置４の設置位置となる。４つの設置位置Ｃ１、Ｃ２、Ｃ８、Ｃ９は、いずれも、撮影待ちの利用者と印刷待ちの利用者とが交錯しない程度に印刷部３０の設置位置から離れている。
【００７０】
なお、図１０に示す例では、誘導灯１３ａ、１３ｂは、ブース２ａ、２ｂの本体制御部２０側の出入口（図１０では上側の出入口）近傍に設けられている。一方、図１１に示す例では、誘導灯１３ａ、１３ｂは、ブース２ａ、２ｂの印刷部３０側の出入口（図１１では下側の出入口）近傍に設けられている。その理由は、自動写真作成装置５を壁際に配置する場合には、取り出し口３４を壁で塞がないように、本体制御部２０を壁側に、印刷部３０を壁から離れる側にして配置する必要があるからである。
【００７１】
自動写真作成装置５における利用者の誘導方法には、第１の実施形態と異なる点があるので、以下、この点について説明する。自動写真作成装置５は２個のブース２ａ、２ｂを備えているので、利用者を誘導する際に、いずれのブースが利用可能かを利用者に知らせる必要がある。そこで、受付装置４の表示部４４は、本体制御部２０のＣＰＵ２１から画面制御コマンドを受けた際に、いずれのブースが利用可能かを示して利用者を誘導するメッセージを画面に表示する。
【００７２】
例えば、図１０に示す例においてブース２ａが空いたときには、表示部４４は、図１２に示すように、「手前のブースに入って撮影して下さい」というメッセージを含む画面５５を表示する。このメッセージの「手前の」の部分は、受付装置４の設置位置と空いたブースとの位置関係に応じて、例えば「奧の」や「左の」や「右の」などに切り替えられる。また、表示部４４は、利用者を誘導するメッセージとともに、利用可能なブースの設置位置または設置方向をグラフィックで画面に表示してもよい。
【００７３】
また、ブース２ａに「Ａブース」、ブース２ｂに「Ｂブース」などの名前をつけ、図１３（ａ）および図１３（ｂ）に示す誘導灯１３ａ、１３ｂを使用してもよい。この誘導灯は、通常は消灯しており、利用者を誘導するときに所定時間だけ点灯または点滅する。例えば、図１０に示す例においてブース２ａが空いたときには、表示部４４は、図１４に示すように、「Ａブースに入って撮影して下さい」というメッセージを含む画面５６を表示する。このメッセージの「Ａブース」の部分には、空いたブースの名前が設定される。
【００７４】
また、自動写真作成装置５に設けられた２個の誘導灯１３ａ、１３ｂのうち、空いたブースの出入口近傍に設けられた誘導灯のみが、受付装置４の画面に連動して動作する。例えば、図１０に示す例において誘導灯１３ａ、１３ｂが図６に示す構成を有し、かつ、ブース２ａが空いたときには、誘導灯１３ａの第２の点灯部１５だけが、所定時間だけ緑色で点滅する。あるいは、誘導灯１３ａ、１３ｂが図１３に示す構成を有し、かつ、ブース２ａが空いたときには、誘導灯１３ｂは消灯したままで、誘導灯１３ａのみが所定時間だけ点灯または点滅する。
【００７５】
以上のように構成された第２の実施形態に係る自動写真作成装置５によれば、複数のブースを備えた場合でも、第１の実施形態と同様の効果を奏する。
【００７６】
なお、以上の説明では、受付装置４と本体制御部２０との間をケーブルで接続することとしたが、受付装置と本体制御部と間を任意の方法で（例えば、無線で）接続してもよい。また、印刷部３０は、ブースの外部に向けた取り出し口３４だけを備えることとしたが、これに加えて、ブースの内部に写真を排出するための別の取り出し口を備えていてもよい。このような構成を有する自動写真作成装置において連続して写真を印刷する場合には、印刷部３０は、最後に印刷した写真を取り出し口３４に向けて排出し、それ以外の写真を上記別の取り出し口に排出することが好ましい。また、利用者はブース２の外部で印刷部３０の入力部３２を用いて印刷時のオプションを選択することとしたが、この処理をブース２の内部で操作ユニット１２を用いて行ってもよい。また、利用者は撮影と落書きなどの編集とを１つの利用者空間（ブース）の内部で行うこととしたが、これに限らず、利用者は撮影と落書きなどの編集とを異なる利用者空間（ブース）の内部で行うこととしてもよい。
【図面の簡単な説明】
【００７７】
【図１】本発明の第１の実施形態に係る自動写真作成装置の外観図である。
【図２】図１に示す自動写真作成装置の機能的な構成を示すブロック図である。
【図３】図１に示す自動写真作成装置の受付装置の設置位置を示す図である。
【図４】図１に示す自動写真作成装置を壁際に設置したときの、受付装置の設置位置を示す図である。
【図５】図１に示す自動写真作成装置の受付装置に表示される、誘導メッセージを示す図である。
【図６】図１に示す自動写真作成装置の誘導灯の構成例を示す図である。
【図７】図１に示す自動写真作成装置の印刷部に表示される、印刷の進行状況を示す画面を示す図である。
【図８】図１に示す自動写真作成装置の印刷部に表示される、ゲーム画面を示す図である。
【図９】図１に示す自動写真作成装置の印刷部に表示される、受付装置の設置位置または設置方向を示す画面を示す図である。
【図１０】本発明の第２の実施形態に係る自動写真作成装置の受付装置の設置位置を示す図である。
【図１１】図１０に示す自動写真作成装置を壁際に設置したときの、受付装置の設置位置を示す図である。
【図１２】図１０に示す自動写真作成装置の受付装置に表示される、誘導メッセージを示す図である。
【図１３】図１０に示す自動写真作成装置の誘導灯の構成例を示す図である。
【図１４】図１０に示す自動写真作成装置の受付装置に表示される、他の誘導メッセージを示す図である。
【符号の説明】
【００７８】
１、５…自動写真作成装置
２…ブース
３…本体装置
４…受付装置
１１…カメラ
１２…操作ユニット
１３…誘導灯
２０…本体制御部
３０…印刷部
３１…プリンタ
３２…入力部
３３…表示部
３４…取り出し口
４１…硬貨検出部
４２…硬貨保管部
４３…入力部
４４…表示部
４５…硬貨投入口
５１〜５６…画面
【図１】
0004508985.tif 000002
【図２】
0004508985.tif 000003
【図３】
0004508985.tif 000004
【図４】
0004508985.tif 000005
【図５】
0004508985.tif 000006
【図６】
0004508985.tif 000007
【図７】
0004508985.tif 000008
【図８】
0004508985.tif 000009
【図９】
0004508985.tif 000010
【図１０】
0004508985.tif 000011
【図１１】
0004508985.tif 000012
【図１２】
0004508985.tif 000013
【図１３】
0004508985.tif 000014
【図１４】
0004508985.tif 000015